(57)【特許請求の範囲】
【請求項１】
複数の断熱壁を連結して本体が構成され、これら断熱壁の前壁の上方にガラスを設けたショーケースにおいて、隣接するガラスの継ぎ目の前部を覆う前面部と上部を覆う上面部と後部の一部を覆う後面部を有するガラスカバーを設け、該ガラスカバーには、前記両ガラスの隙間に挿入される挿入部を形成し、前記挿入部は、前記後面部の前方に位置する部分に後端が前記ガラスの後面より後方に位置する拡大部を形成すると共に、前記拡大部以外の部分の後端は、ガラスの後面より前方に位置することを特徴とするショーケース。
【発明の詳細な説明】
【０００１】
【発明の属する技術分野】
本発明は、複数の断熱壁を連結して本体が構成され、これら断熱壁の前壁上方にガラスを設けたショーケースに関するものである。
【０００２】
【従来の技術】
従来よりこの種ショーケースは、例えば特開平５−３０５０１９号公報に示されている如く複数台のショーケース断熱壁を連結して本体を構成している。これら断熱壁を連結する場合には、両断熱壁間に渡る一本の連結金具を両断熱壁間に取り付け、両端部を各断熱壁にそれぞれネジ止めすることにより行っていた。そしてこの場合に断熱壁の上方にガラスを設けた場合には、図５及び図６に示す如く、両ガラスの継ぎ目の前部及び上部を覆うガラスカバーを設けていた。
【０００３】
【発明が解決しようとする課題】
しかしながら、従来のショーケースでは、ガラスカバー３０がただ単に両ガラス１０の継ぎ目の前部、上部及び後部の一部を覆っていただけなので、外力により簡単に左右にずれてガラス１０の端部が露出して、けがをしてしまう虞があることに加えて、このような状態では、美観を損ねてしまう。
【０００４】
また、ショーケースを連結する際に、連結される部分がガラス１０の下方のバンパー８の下部であり、誤った状態で連結されるとガラス１０の上端がずれてしまう虞がある。しかしながらこの場合でも、ガラスカバー３０を取り付けることができ、連結が誤った状態のままになってしまう虞がある。
【０００５】
本発明は、係る従来の技術的課題を解決するために成されたものであり、安全性を向上させると共に、正規の状態で連結されるショーケースを提供することを目的とする。
【０００６】
【課題を解決するための手段】
本発明のショーケースは、複数の断熱壁を連結して本体が構成され、これら断熱壁の前壁の上方にガラスを設けたものであって、隣接するガラスの継ぎ目の前部を覆う前面部と上部を覆う上面部と後部の一部を覆う後面部を有するガラスカバーを設け、該ガラスカバーには、前記両ガラスの隙間に挿入される挿入部を形成し、前記挿入部は、前記後面部の前方に位置する部分に後端が前記ガラスの後面より後方に位置する拡大部を形成すると共に、前記拡大部以外の部分の後端は、ガラスの後面より前方に位置するものである。
【０００７】
本発明によれば、拡大部により挿入部の強度を確保することができると共に、拡大部以外の部分の後端が直接庫内の冷気により冷却されることを防止できる。
【０００８】
【発明の実施の形態】
次に、図面に基づき本発明の実施形態を詳述する。図１は本発明のショーケースの斜視図、図２は本発明のショーケースの要部正面図、図３は、本発明のショーケースの要部断面図、図４は、ガラスカバーの後方斜視図を示している。図１において、上面に商品取出用の開口部２を有する本体ケース１は、断熱壁で構成される図示しない外箱と、この外箱と間隔を存して配置された仕切板３との間に冷気循環路を形成していると共に、仕切板３の内方に庫内４を形成している。冷気循環路は前記開口部２の後方に位置する部分に吹出口５を形成すると共に、前方に位置する部分に図示しない吸込口を形成しており、内部に送風ファン及び冷却器等を配置して、開口部２には、エアーカーテンを形成している。庫内４の底部には、図示しないワイヤラック上にデッキパンと称される所定面積の商品載置板６が載置されると共に、商品載置板６上には図示しない商品が載置されている。また、外箱の両端には、側板７が設けられている。
【０００９】
外箱の前面には、店内において使用されるカート等の台車の衝突からケース本体１を保護するために前方に張り出したバンバー８が設けられ、バンパー８の上面には、バンパー８全体を覆うと共に、吸込口の外気侵入を防止しつつ庫内４の商品を透視できるガラス１０を保持するハンドレール９が設けられている。また、ガラス１０の上面には、ガラス１０の端部の破損及び顧客等のけがを防止するために、ガラス上面カバー１１が設けられている。更に、ハンドレール９には、ケース本体１に載置された商品の価格等を表示する図示しないプライスカードを保持するためのプライスレール１２が設けられている。
スーパーマーケット等においては、陳列される商品が多く、この様な場合は、ショーケースを複数台連結することになる。一般的に連結は、従来公報に示す如く、バンパー８の下部にて行われる。連結時には、顧客等の損傷防止及び美観の向上等により、隣接するハンドレール９、ガラス１０及びガラス上面カバー１１の継ぎ目を覆うガラスカバー２０が設けられている。
ガラスカバー２０は、ガラス１０の継ぎ目の前部を覆う前面部２１と、上部を覆う上面部２２と、後部の一部を覆う後面部２３と、ビス等の取付具１３によりハンドレール９に取り付けられる取付部２４と、隣接する両ガラス１０の隙間に挿入される挿入部２５を有している。
【００１０】
ここで、ガラスカバー２０に左右方向に対する外力が加わったとしても、挿入部２５が、左右どちらかのガラス１０に当接し、ガラスカバー２０の左右方向のずれを防止することができる。また、左右のケース本体１が誤った状態で連結が行われた場合に、ガラス１０の上面は連結部であるバンパー８の下部より所定の距離を有しているので、ガラス１０の上面は大きなずれが生じてしまい、挿入部２５をガラス１０の継ぎ目に挿入できず、ガラスカバー２０を所定の位置に取り付けることができなくなる。つまり、ガラスカバー２０の取付ができることにより、正規の状態で連結が行われているかどうか、ケース本体１の連結状態も確認することができる。
また、挿入部２５は、図３に示す如く、後面部２３の前方に位置する部分に後端がガラス１０の後面より後方に位置する拡大部２６を形成すると共に、拡大部２６より下方の部分の後端は、ガラス１０の後面より前方に位置している。
上記構成により、拡大部２６の後端は、ガラス１０の後面より後方に位置するので、挿入部２５の強度を確保できると共に、拡大部２６以外の部分は、ガラス１０の後面より前方に位置しているので、庫内４の吸込口付近の温度の低い冷気により挿入部２５が直接冷却されることを防止でき、前面部２１の結露を抑制することができる。
【００１１】
挿入部２５の形状に関しては、ガラス１０の継ぎ目に挿入でき、所定の強度を確保できると共に、庫内の冷気による冷却を防止できれば、どのような形状でも良く、この形状に限定されるものではない。
【００１２】
【発明の効果】
本発明によれば、拡大部により挿入部の強度を確保することができると共に、拡大部以外の部分の後端が直接庫内の冷気により冷却されることを防止できる。
【図面の簡単な説明】
【図１】本発明のショーケースの斜視図である。
【図２】本発明のショーケースの要部正面図である。
【図３】本発明のショーケースの要部断面図である。
【図４】ガラスカバーの後方斜視図を示している本発明のショーケースの斜視図である。
【図５】従来のショーケースの要部正面図である。
【図６】従来のショーケースの要部断面図である。
【符号の説明】
１０  ガラス
２０  ガラスカバー
２１  前面部
２２  上面部
２３  後面部
２５  挿入部
２６  拡大部
【図１】
0003806545.tif 000002
【図２】
0003806545.tif 000003
【図３】
0003806545.tif 000004
【図４】
0003806545.tif 000005
【図５】
0003806545.tif 000006
【図６】
0003806545.tif 000007